(57)【要約】  容器が、上端部（１０ａ）および下端部（１０ｂ）が設けられる周側壁（１０）を有する管状本体（Ｃ）を有し、この上端部（１０ａ）および下端部（１０ｂ）は、上部保持フック（１１）、および下端壁（３０）が二重巻締めされる下部保持フック（１２）を画定する。上端壁（２０）は、端縁（２２ｃ）を有する周辺上部スカート（２２）を組み込むように適合され、この端縁（２２ｃ）は、その間に弾性シール要素（４０）を挟み込む上部保持フック（１１）の上に据え付けられるべき逆Ｕ字形状の上部閉鎖フック（２３）を画定する。上部閉鎖フック（２３）および上部保持フック（１１）、ならびにまた周辺上部スカート（２２）の一部および上端部（１０ａ）の対向領域は、上部保持フック（１１）の上に上部閉鎖フック（２３）を巻締めし、保持リブ（２４）、および保持リブ（２４）をしっかりと嵌合する保持溝（１４）をそれぞれ形成するように変形される。
2012514535.tif 000002
【特許請求の範囲】
【請求項１】
上端部（１０ａ）および下端部（１０ｂ）を有し、上端壁（２０）および下端壁（３０）がそれぞれ取り付けられる周側壁（１０）によって形成される管状本体（Ｃ）を備えるタイプの、金属シートの容器を閉鎖する方法であって、
管状本体（Ｃ）の周側壁（１０）を画定するように金属シート部分を適合させるステップと、
その上端部（１０ａ）において、逆Ｕ字の形の輪郭を有する上部保持フック（１１）を画定する、外方および下方に屈曲される上部周縁（１０ｃ）、ならびにその下端部（１０ｂ）において、下部保持フック（１２）を画定するように屈曲される下部周縁（１０ｄ）を設けるように周側壁（１０）を適合させるステップと、
管状本体（Ｃ）の下部保持フック（１２）に下端壁（３０）を周縁に取り付けるステップと、
逆Ｕ字の形の輪郭を有する上部閉鎖フック（２３）を画定するように、中央パネル（２１）、ならびに外方、下方かつ内方に屈曲される端縁（２２ｃ）を有する周辺上部スカート（２２）を有する上端壁（２０）を画定するように金属シート部分を適合させるステップと、
容器が、前記フック（２３）と前記フック（１１）との間に予め設けられる弾性シール要素（４０）を挟み込む上部保持フック（１１）の上に上部閉鎖フック（２３）を据え付けるように空であり、または既に製品で充填されている状態で、上端部（１０ａ）の内部に周辺上部スカート（２２）を嵌合し、据え付けるステップと、
上部保持フック（１１）の上に上部閉鎖フック（２３）を巻締めし、弾性シール要素（４０）を圧縮し、周辺上部スカート（２２）において少なくとも１つの外周保持リブ（２４）、および周側壁（１０）の上端部（１０ａ）において保持リブ（２４）をしっかりと嵌合する対応する内周保持溝（１４）を形成するために、上部閉鎖フック（２３）および上部保持フック（１１）、ならびにまた周辺上部スカート（２２）の一部および上端部（１０ａ）の対向領域を同時変形操作に従わせるステップとを含むことを特徴とする、方法。
【請求項２】
逆Ｕ字の形の輪郭を有する上部保持フック（１１）が、上端部（１０ａ）の一部によって画定される内方横脚部（１１ａ）、アーチ形ベース脚部（１１ｂ）、および内方横脚部（１１ａ）に対して互いに近づき合う外方横脚部（１１ｃ）を有するように適合され、逆Ｕ字の形の輪郭を有する上部閉鎖フック（２３）が、周辺上部スカート（２２）の上部によって画定される内方横部分（２３ａ）、アーチ形ベース部分（２３ｂ）、および内方横部分（２３ａ）に対して互いに近づき合い、かつ上方へ突出する端部フランジ（２３ｄ）を内側に組み込む外方横部分（２３ｃ）を有するように適合され、上部保持フック（１１）の上への上部閉鎖フック（２３）の嵌合が、弾性シール要素（４０）を前記アーチ形ベース部分（２３ｂ）とアーチ形ベース脚部（１１ｂ）との間に配置して、上部閉鎖フック（２３）のアーチ形ベース部分（２３ｂ）が上部保持フック（１１）のアーチ形ベース脚部（１１ｂ）の上に据え付けられるように行われ、上部保持フック（１１）の上への上部閉鎖フック（２３）の巻締めが、上部保持フック（１１）の内方横脚部（１１ａ）、アーチ形ベース脚部（１１ｂ）、および外方横脚部（１１ｃ）に対して、それぞれ上部閉鎖フック（２３）の内方横部分（２３ａ）、アーチ形ベース部分（２３ｂ）、および外方横部分（２３ｃ）を据え付けるように行われ、弾性シール要素（４０）を圧縮し、端部フランジ（２３）を上部保持フック（１１）の外方横脚部（１１ｂ）と内方横脚部（１１ａ）との間で上部保持フック（１１）の内部に上方へ突出させておくことを特徴とする、請求項１に記載の方法。
【請求項３】
上部閉鎖フック（２３）および上部保持フック（１１）の変形が、保持リブ（２４）および保持溝（１４）を同時に形成するために、周辺上部スカート（２２）および周側壁（１０）の上端部（１０ａ）に対して外方の半径方向力を加えることに対抗して、内側および上方の半径方向力を加えることによって得られることを特徴とする、請求項２に記載の方法。
【請求項４】
上部保持フック（１１）の外方横脚部（１１ｃ）、および上部閉鎖フック（２３）の外方横部分（２３ｃ）がそれぞれ、実質的に直線であり、下方、かつ半径方向内側に傾斜されることを特徴とする、請求項２または３のいずれかに記載の方法。
【請求項５】
上部保持フック（１１）の内方横脚部（１１ａ）、および上部閉鎖フック（２３）の内方横部分（２３ａ）がそれぞれ、実質的に直線であり、上方、かつ半径方向外方に僅かに傾斜されることを特徴とする、請求項２、３または４のいずれかに記載の方法。
【請求項６】
弾性シール要素（４０）が、それぞれ、上部保持フック（１１）の内方横脚部（１１ａ）と上部閉鎖フック（２３）の内方横部分（２３ａ）との間に貫入し、圧縮されているその延長部分の一部を有することを特徴とする、請求項２、３、４、５または６のいずれかに記載の方法。
【請求項７】
保持リブ（２４）および保持溝（１４）が、それぞれの部分の金属シートを変形することによって形成され、それぞれ、凸円弧状および凹円弧状の丸みをつけたＶ字型の概略形状を有する横断面を有することを特徴とする、請求項２、３、４、５または６のいずれかに記載の方法。
【発明の詳細な説明】
【技術分野】
【０００１】
本発明は、閉鎖される収納容器、あるいは円筒形状または逆さにした僅かに截頭円錐台の形状からなり、上端部および下端部を有し、それぞれの端壁が取り付けられる周側壁を備える他の容器などの、金属シートで形成される容器の上部閉鎖を行う方法に関する。
【背景技術】
【０００２】
本明細書において考慮されるタイプの容器は、それぞれ周縁に、周側壁の上端部および下端部に二重巻締めされるそれらの上端壁および下端壁を有し、上端壁には、周側壁のそれよりも実質的に小さい輪郭を有する略偏心開口と、容器を上端壁にだけ取り付けられる把持ハンドルによって持ち上げができるようにするために容器の輪郭の軸方向突出部分の内部に含まれる把持ハンドルとが設けられる。上端壁に設けられる開口は、一般にプラスチック材料で形成される蓋が使用される座面を画定するように構成される。
【０００３】
特定の一般に高価な装置の使用を必要とする、二重巻締めする方法の複雑さのため、本明細書において考慮される容器の製造のこれらの二重巻締めする段階は、製品充填設備においてあまり実行されない。したがって、容器は、容器の周側壁に端壁を二重巻締めすることによって、製造業者の設備で閉鎖され、次いで、市場に出されるべき製品を充填するための設備に運送される。容器は、端壁を既に周側壁に二重巻締めして運送されるので、これらは、一方を他方の内側にして嵌合されることができず、並んで配置され、運搬車両に、かつまた容器製造業者と充填設備の両方での保管場所に積み重ねられることを必要とし、材料の質量に対して望ましくない大きな容積を示す物理的空間を必要とし、運送および保管コストをかなり増大させ、これらの容器を運搬するのに特別な注意を必要とする。
【０００４】
一般に二重巻締めすることによって端壁を既に取り付けた状態で充填作業する働きをするものに供給される、これらの容器の他の欠点は、充填が、上端壁に設けられる小さくした寸法の開口を通してしか行われ得ないということから生じる。したがって、製品を充填するための時間は、上端壁なしで行われる充填に対応する時間よりも長く、というのはこれは、着脱自在の蓋によって上方で閉鎖され、蓋にではなく周側壁に適用される懸吊ハンドルが設けられる容器を充填するときに起こるからである。
【０００５】
上で言及した不都合を克服することを目的として、本出願人によって２００８年９月１０日に出願された、ブラジル特許出願ＰＩ０８０４３０５−１号明細書、「ＣＯＮＴＡＩＮＥＲ  ＩＮ  ＭＥＴＡＬ  ＳＨＥＥＴ」という建設的解決策の対象が提案された。この先行の解決策では、上端壁は、二重巻締め作業を必要とすることなく、製品の充填物によって容器の周側壁に容易に、迅速に、確実に、密封して取り付けられ得る。
【０００６】
同出願人の上記先行の建設的解決策によれば、周側壁の上部周縁および上部壁の外周縁は、充填物によって行われるべき簡単で同時の変形操作を通して、周側壁の変形縁部と上部壁との間に圧縮されるガスケットの形の弾性シール要素を一般に利用して、これらを互いに確実に、密封して取り付けることができるように適合される。
【０００７】
懸吊ハンドルが設けられる上部壁と容器の周側壁との間に高度な軸方向保持が要求される用途では、周側壁の上端部および上端壁の周辺上部スカートには、周側壁の上端部の内部に上端壁を嵌合すると互いに協働する１つまたは複数の円周方向リブおよび円周方向溝が設けられる。
【先行技術文献】
【特許文献】
【０００８】
【特許文献１】ブラジル特許出願公開第Ｉ０８０４３０５号明細書
【発明の概要】
【発明が解決しようとする課題】
【０００９】
円周方向リブおよび円周方向溝を設けると、上端壁の軸方向保持の程度ならびに容器の前記上部閉鎖の密封性の程度が実質的に増加することになるが、これらのリブおよび溝は、容器の製造業者によって上端壁のスカートおよび容器の周側壁に別々に設けられ、その結果、容器の最終的な閉鎖のときにそれらを嵌合し、かつ軸方向保持および追加的なシールの所望の程度を得ることができるためには、２つの部品の製造に望ましくない寸法精度を必要とする。この先行の解決策は、同出願人の前記先行特許出願に述べられた利点を有するが、高価な製造手順を必要とするという不都合がある。
【００１０】
先行の解決策について上で論評した不都合により、本発明の目的は、周側壁と、下端壁と、小さな排出開口および懸吊ハンドルが設けられる上端壁とを有する、金属シートの容器を閉鎖するための方法を提供することであり、この上端壁は、二重巻締め作業、あるいは寸法公差を小さくして周側壁および上端壁を適合させるための高価な作業を必要とすることなく、包装されるべき製品の充填物によって周側壁に容易に、迅速に、確実に、密封して取り付けられ得る。
【課題を解決するための手段】
【００１１】
本方法は、上端部および下端部を有し、それぞれの上端壁および下端壁が取り付けられる周側壁によって形成される管状本体を備えるタイプの、金属シートの容器を閉鎖するために適用される。
【００１２】
本発明によれば、閉鎖方法は、金属シートの管状本体を形成するステップと、上端部および下端部に上部保持フックおよび下部保持フックをそれぞれ設けるように、その上端部および下端部を適合させるステップとを含み、下部保持フックは、従来、下端壁に二重巻締めされる。
【００１３】
上端壁は、周辺上部スカートを有するように金属シートで適合され、その端縁は、容器が上方で閉鎖され、まだ空であり、または既に製品で充填されているときに上部閉鎖フックを構成するように屈曲される。
【００１４】
次いで、上部閉鎖フックおよび上部保持フック、ならびにまた上端壁の周辺上部スカートおよび周側壁の上端部は、中間の弾性シール要素を圧縮すると、前記フックの巻締めを行い、また周辺上部スカートにおいて少なくとも１つの外周保持リブ、および周側壁の上端部において保持リブにしっかりと嵌合するそれぞれの内周保持溝の形成を行うために、一緒に変形される。
【００１５】
本発明によって提案される閉鎖方法により、二重巻締めするという高価で複雑な作業を必要とすることなく、または製造を妨げ、これらの容器のコストを上昇させる高価な寸法公差を有する保持リブおよび保持溝を予め形成することなく、上端壁を容器の管状本体に密封して、確実に巻締めすることができる。
【００１６】
提案された方法の場合、容器は、保持リブおよび保持溝なしで製造され、上端壁はまだ別ピースの形であるが下端壁は管状本体に既に正しく二重巻締めして、充填されるように搬送され得る。
【００１７】
提案された方法では、まだ開いている上端部の横断面全体が、充填中に使用されることができ、その結果、簡単で相伴う軸方向および半径方向の圧縮動作によって、周側壁の内部にそれぞれの端壁を嵌合し保持する作業の前の作業時間を低減して、閉鎖フックおよび上部保持フックの両方の変形、ならびに円周方向リブおよび円周方向溝の相伴う形成を行うことができる。
【００１８】
周側壁が、連続してまたは段差をもって一方の端部から他方の端部まで、一般に上端部から下端部までテーパをつけるように構成される場合には、容器は、上端壁なしで、かつ一方を他方の内側にして部分的に嵌合して積み重なったままの状態で、保管され運送されることができ、その結果、それらが充填設備で閉鎖されるまで、好ましくは閉鎖作業の後まで、保管および輸送体積の実質的な節約が可能である。
【００１９】
本発明は、本発明の可能な実施形態のうちの１つが例示として与えられる同封の図面を参照して、以下で説明される。
【図面の簡単な説明】
【００２０】
【図１】円形輪郭を示すその周側壁を有する、本容器の上平面図である。
【図２】図１の線ＩＩ−ＩＩによる、周側壁に取り付けられる上端壁および下端壁を示す容器の一部直径断面図である。
【図３】周側壁の上に上端壁を据え付ける前の構成部品の形態を示す、周側壁の上端部での上端壁の嵌合を示す図２の領域の拡大分解詳細図である。
【図４】図３と同じ詳細図を示すが、既に据え付けられ、ただ暫定的に周側壁に保持されている上端壁を示す図である。
【図５】軸方向保持リブおよび軸方向保持溝を形成するために、巻締め装置が閉鎖フックおよび上部保持フックを圧縮するためにそれに適用されるときの、図４に示される容器の縮小側面図である。
【図５Ａ】図４のそれと同様の図を示すが、円周方向リブおよび円周方向溝を形成して一緒にしっかりと嵌合されるように、閉鎖フックおよび上部保持フック、ならびに周側壁の上端部と共に周辺上部スカートの同時変形を行う巻締め装置の適用を示す図である。
【図６】図５のそれと同様の図を示すが、容器だけを示す図である。
【図７】上端壁を取り去って、一方を他方の中にして部分的に嵌合された、本方法により構成された２つの容器の一部直径断面図である。
【発明を実施するための形態】
【００２１】
本閉鎖方法は、金属シート、一般にブリキ板で形成され、任意の多角形横断面、一般に円形を有し、上端部１０ａおよび下端部１０ｂを有し、それぞれの上端壁２０および下端壁３０が取り付けられる周側壁１０によって形成される管状本体Ｃを備える容器に適用される。
【００２２】
本発明によれば、管状本体Ｃを形成するように金属シート部分を適合させた後に、管状本体は、周側壁１０の上端部１０ａおよび下端部１０ｂを適合させるための操作に従わされる。
【００２３】
上端部１０ａの適合は、逆Ｕ字の概略形状の輪郭を有する上部保持フック１１を画定する、外方および下方に屈曲される上部周縁１０ｃをその中に設けるように構成される。
【００２４】
本発明の好ましい適合では、上部保持フック１１は、周側壁１０の上端部１０ａの一部によって画定される内方横脚部１１ａ、アーチ形ベース脚部１１ｂおよび内方横脚部１１ａに対して互いに近づき合う外方横脚部１１ｃを有するように適合される。
【００２５】
周側壁１０の下端部１０ｂの形態は、下部保持フック１２を画定するように外方に屈曲される下部周縁１０ｄを設けるように構成され、この下部保持フック１２は、たとえば二重巻締めすることによって、下端壁３０の同じように適合される周縁を、また金属シートで、かつ任意の従来の構成を用いて固定できるように任意の知られている先行技術の構成を有することができる。下端壁３０を管状本体Ｃに確実にかつ密封して取り付けるのに使用される解決策は、本方法の特殊な態様ではなく、その固定は任意の適切な方法によって製造業者の設備で行われ得る。
【００２６】
管状本体Ｃおよび上部保持フック１１および下部保持フック１２を適合させた後、下端壁３０の周縁は、一般に二重巻締めすることによって管状本体Ｃに取り付けられる。
【００２７】
管状本体Ｃの形態、およびその下端壁３０の閉鎖に付随して、金属シート部分は、中央パネル２１を備える上端壁２０を画定するように適合され、これには、軸方向外方に吐出する、よく知られている先行技術の補強周縁および周辺上部スカート２２が場合によっては設けられ、これは、圧入形態で、周側壁１０の上端部１０ａの内部にしっかりと嵌合されるように構成される。
【００２８】
周辺上部スカート２２は、逆Ｕ字の概略形状の輪郭を有する閉鎖フック２３を画定するように、外方、下方かつ内方に屈曲される端縁２２ｃを有する。
【００２９】
好ましい、示された形態では、閉鎖フック２３は、上端壁２０の周辺上部スカート２２の上部によって画定される内方横部分２３ａと、アーチ形ベース部分２３ｂと、内方横部分２３ａに対して互いに近づき合い、かつ上方へ突出する端部フランジ２３ｄを内側に組み込む外方横部分２３ｃとを有するように適合される。
【００３０】
本発明の方法によれば、上端壁２０の周辺上部スカート２２は、次に、容器が空でありまたは既に製品で充填されている状態で、周側壁１０の上端部１０ａの内部に嵌合され、据え付けられることができ、前記嵌合は、上部保持フック１１の上に閉鎖フック２３を据え付けるように行われ、前記フック２３と前記フック１１との間に予め設けられる弾性シール要素４０を挟み込む（図４、図５Ａおよび図６を参照されたい）。
【００３１】
図面に示された解決策では、上部保持フック１１の上への閉鎖フック２３の嵌合は、弾性シール要素４０、たとえばプラスチゾル塗膜を前記アーチ形ベース部分２３ｂとアーチ形ベース脚部１１ｂとの間に配置して、閉鎖フック２３のアーチ形ベース部分２３ｂが上部保持フック１１のアーチ形ベース脚部１１ｂの上に据え付けられるように行われる。
【００３２】
図示のように、弾性シール要素４０は、周側壁１０の上端部１０ａの内部に上端壁２０を嵌合し、据え付けると、上部保持フック１１のアーチ形ベース脚部１１ｂに据え付けられるように、閉鎖フック２３のアーチ形ベース部分２３ｂの下に当てがわれることが好ましい。
【００３３】
図３の分解図は、容器を閉鎖する前に部品に与えられる形状を示している。この段階では、上部保持フック１１の外方横脚部１１ｃの自由端縁の直径は、外方に傾斜して上方に突出する端部フランジ２３ｄの自由上部縁の直径よりも僅かに小さい。したがって、図４に示された状態で上端壁２０を据え付けると、前記部品は共に、端部フランジ２３ｄを上部保持フック１１の外方横脚部１１ｃの自由端縁の下に嵌合できるように弾性変形を受ける。
【００３４】
上端壁２０を周側壁１０の上端部１０ａの内部に既に嵌合し、据え付けて、一般に、包装されるべき製品で既に充填されてしまった後、容器が閉鎖されるばかりになると、閉鎖フック２３および上部保持フック１１、ならびにまた周辺上部スカート２２の一部および上端部１０ａの対向領域は、上部保持フック１１の上に閉鎖フック２３を巻締めし、その間に弾性シール要素４０を圧縮し、周辺上部スカート２２において少なくとも１つの外周保持リブ２４、および周側壁１０の上端部１０ａにおいて１つの内周保持溝１４をさらに形成するように、継手変形操作に従わせることができ、前記保持リブ２４は、保持溝１４の内部にしっかりと嵌合し、その結果、保持リブ２４が保持溝１４の内部輪郭に完全に従うことができるための特別な製造上の注意を必要とすることなく、管状本体Ｃの一部と上端壁２０との間の緊密で確実な結合を保証することができる。
【００３５】
閉鎖フック２３および上部保持フック１１の両方の変形は、保持リブ２４および保持溝１４を同時に形成するために、周辺上部スカート２２および周側壁１０の上端部１０ａに対して外方の半径方向力を加えることに対抗して、内側および上方の半径方向力を加えることによって得られる。
【００３６】
好ましい、示された構成では、上部保持フック１１の上への上部閉鎖フック２３の嵌合は、閉鎖フック２３のアーチ形ベース部分２３ｂが上部保持フック１１のアーチ形ベース脚部１１ｂの上に据え付けられるように行われ、また上部保持フック１１の上への閉鎖フック２３の巻締めは、上部保持フック１１の内方横脚部１１ａ、アーチ形ベース脚部１１ｂ、および外方横脚部１１ｃに対して、それぞれ閉鎖フック２３の内方横部分２３ａ、アーチ形ベース部分２３ｂ、および外方横部分２３ｃを据え付けるように行われ、弾性シール要素４０を圧縮し、端部フランジ２３ｄを上部保持フック１１の外方横脚部１１ｂと内方横脚部１１ａとの間で上部保持フック１１の内部に上方へ突出させておく。  
図５および図５Ａに示されるように、フックを巻締めし、保持リブ２４および保持溝１４を形成するための変形は、複数の外部周辺フィンガ５１および複数の内部周辺フィンガ５２を備える巻締め装置５０を使って、製品を充填した後に容易に行われることができ、上部閉鎖フック２３および上部保持フック１１の両方の巻締め変形、ならびに保持リブ２４および保持溝１４の両方の形成を同時に生じるように、前記外部周辺フィンガ５１および内部周辺フィンガ５２は、巻締め装置５０の動作に応じて可変の直径と共に円形の位置合わせを共同で画定するように、かつ容器の外側からフックに対して、および周辺上部スカート２２に対して同時に作用するように構成される。図５Ａで留意され得るように、外部周辺フィンガ５１および内部周辺フィンガ５２は、それらが据え付けられるそれぞれの部品に対して、フックの巻締め、および周辺上部スカート２２と周側壁１０の上端部１０ａとの間の嵌合の両方を得るために所望の形態を有するように構成され、それらの間に弾性シール要素４０を提供する場合に、閉鎖フック２３および上部保持フック１１を巻締めすることによって画定されるそれに追加としてシール領域を確立することに加えて、上端壁２０と容器の管状本体Ｃとの間に強い軸方向保持を保証する。
【００３７】
さらに示されるように、閉鎖フック２３および上部保持フック１１の変形を完了した後、上部保持フック１１の外方横脚部１１ｃおよび閉鎖フック２３の外方横部分２３ｃは、実質的に直線であり、下方、かつ半径方向内側に傾斜される輪郭を取り、周側壁１０に対する上端壁２０の強固で確実で緊密な固定を保証する。
【００３８】
互いに固定されるべき２つの部品の適合、ならびに２つのフックの初期および最終形成時の金属シートの弾性変形の操作を容易にするために、上部保持フック１１の内方横脚部１１ａおよび閉鎖フック２３の内方横部分２３ａは、実質的に直線であり、上方、かつ半径方向外方に僅かに傾斜される輪郭を有するように最初は適合される。
【００３９】
示された実施形態によれば、保持リブ２４および保持溝１４は、それぞれ、凸円弧状および凹円弧状の丸みをつけたＶ字型の概略形状を有する横断面を有するように構成される。
【００４０】
弾性シール要素４０の用途の特性に応じて、図５に示されるように、弾性シール要素４０は、それぞれ、上部保持フック１１の内方横脚部１１ａと閉鎖フック２３の内方横部分２３ａとの間に貫入し、圧縮されているその延長部分の一部を有することができる。
【００４１】
本容器の構成は、容易に実行されるが、危険物向きの容器に適用される安全要件に適合できる閉鎖を得ることが目的であることを考慮して、周側壁には、制御された塑性変形によってエネルギー吸収手段が設けられ得る。したがって、周側壁１０は、上端部１０ａおよび下端部１０ｂに隣接するそれぞれ２つの領域を有することができ、それぞれは、周側壁１０の高さの約１０％から１５％までを占め、丸みのある頂点を有する横にしたＶ字の形の輪郭を有する複数の円周方向溝１０ｅに適合される。これらの領域は、端壁２０、３０が周側壁１０に取り付けられる領域に容器の過度の変形が生じる前に変形する傾向があるプリーツ構造（ｐｌｅａｔｅｄ  ｓｔｒｕｃｔｕｒｅ）を有している。
【００４２】
図１および図２で認められ得るように、２つの上端壁２０および下端壁３０は、周側壁１０に着脱不能に取り付けられ、上端壁２０の中央パネル２１には、より小さな直径の略偏心開口２１ａ、および前記上端壁２０の中央領域に概ね配置される把持ハンドル６０が設けられ、把持ハンドル６０は、たとえ充填されている場合でも容器を前記把持ハンドル６０によって持ち上げることができるように、前記上端壁２０に一体に取り付けられる。このタイプの構成では、より小さな直径の開口２１ａは、通常、プラスチック材料で構成されることが好ましい着脱自在の蓋によって閉鎖され、これは、本発明のいかなる部分も構成しないので本明細書において示されていない。
【００４３】
既に以前に述べられ、同封の図面の図７でさらに示されるように、容器の周側壁１０は、２つの積み重ねられた容器の間に部分的な入れ子式嵌合ができるように構成され得る。示された実施形態では、周側壁１０は、逆立ちの僅かに截頭円錐台の形状を有し、下端壁３０と一致するより小さなベースおよびより大きなベースは、上端壁２０の取付け面に対して後ろに軸方向に間隔を空けられた平面に設置されることが好ましく、周側壁１０は、外方円周方向突出部分１９を画定するように変形される。
【００４４】
この構成の場合、容器は、上端壁を取り去った別の下方に配置された容器の内側に入れ子式に嵌合されることができ、図７に示されるように、この嵌合は、外方円周方向突出部分１９が下方に配置された容器の周側壁１０の上端部１０ａの自由縁の上に据え付けられるまで行われ、その結果、このように積み重ねられた容器は、一方を他方の上にして積み重ねられた下方かつ上方で閉鎖された容器の同じ数で占められるはずの体積よりも、実質的に下の全体積を占めることができる。この部分的な嵌合配置によって、容器は、体積、したがってコストを大きく節約して保管され運送されることができる。
【００４５】
本発明のただ１つの実施形態が、本明細書において示されたが、本閉鎖方法は、本明細書に添付の特許請求の範囲に規定される構成概念から逸脱することなく、関連する部品の変形特性について代替方法を許容することができることを理解されたい。
【図１】
2012514535.tif 000003
【図２】
2012514535.tif 000004
【図３】
2012514535.tif 000005
【図４】
2012514535.tif 000006
【図５】
2012514535.tif 000007
【図５Ａ】
2012514535.tif 000008
【図６】
2012514535.tif 000009
【図７】
2012514535.tif 000010
【国際調査報告】
2012514535.tif 000011
2012514535.tif 000012